(57)【特許請求の範囲】
【請求項１】
植物を育成可能な土壌とそれを収める容器とを有する植栽装置であって、軽量で透水性の良好な固形土より成る土壌を外被によって包み、扁平な形状にした土壌マットとし、容器は、土壌マットが収まる扁平なトレー形状とし、立て方向に配置したときに上になる箇所に注液口を有し、さらにトレーの底に相当する箇所にあけられた複数個の孔を有し、トレーの底との間で土壌マットを挟み込むとともに、土壌に植えられた植物の一部を外へ出す穴あきのパネル体によって容器を覆うことにより垂直に配置可能とし、外被は、吸水性の良好なシート材によって植栽面を除く固形土の全体を包み、さらにその外側全体を植物繊維より成るシート材によって包んでいることを特徴とする植栽装置。
【請求項２】
パネル体は固形土に対する固定機能と植物に対する窓の機能とを併有するのみならず、模様を様々変化したものを用意し、それらを交換可能とした構成を有する請求項１記載の垂直に配置可能な植栽装置。
【請求項３】
トレーの底に相当する箇所にあけられた複数個の穴を、フックに引掛けるために使用して壁に掛け吊るすようにした請求項１記載の垂直に配置可能な植栽装置。
【請求項４】
自立式のスタンドに、容器の下部を載置し、かつ背部を支えて立て掛けられるようにした請求項１記載の垂直に配置可能な植栽装置。
【発明の詳細な説明】
【０００１】
【発明の属する技術分野】
本発明は、植物を育成可能な土壌とそれを収める容器とを有し、垂直に配置可能な植栽装置に関するものである。
【０００２】
【従来の技術】
植物を栽培し、花や樹姿を観賞する鉢植え植物、盆栽の類は広く愛好されているものではあるが、鉢などの容器に土壌を充填し、植物を植えているため、必然的に目線以下に配置されることになる。従って、それらは常に見下ろす位置でしか観賞することができない。
【０００３】
これに対して壁面に植物を配置することも行われていない訳ではないが、従来可能であったのは蔦などの面をつたう性質を利用する方法である。従って、蔓性の植物に限られることになり、植物の変化に乏しい。
【０００４】
【発明が解決しようとする課題】
本発明は前記の点に鑑みなされたものであって、その課題は、室内、屋外を問わずに、絵画のように、壁に配置して飾ったり観賞したりすることができるようにする点にある。
【０００５】
また本発明の他の課題は、室内、屋外を問わずにスタンドに乗せて立って展示し、飾ったり観賞したりすることができるようにする点にある。
【０００６】
【課題を解決するための手段】
前記の課題を解決するため本発明は、軽量で透水性の良好な固形土より成る植栽装置の土壌を外被によって包み、扁平な形状にした土壌マットとし、容器は、土壌マットが収まる扁平なトレー形状とし、立て方向に配置したときに上になる箇所に注液口を有し、さらにトレーの底に相当する箇所にあけられた複数個の孔を有し、トレーの底との間で土壌マットを挟み込むとともに、土壌に植えられた植物の一部を外へ出す穴あきのパネル体によって容器を覆うことにより垂直に配置可能とし、外被は、吸水性の良好なシート材によって植栽面を除く固形土の全体を包み、さらにその外側全体を植物繊維より成るシート材によって包んでいるものとするという手段を講じたものである。
【０００７】
【発明の実施の形態】
本発明に係る植栽装置は、植物を育成可能な土壌とそれを収める容器とを有する。従って、草木を植えて育てる構成を有し、しかもこれを立てて、つまり土壌表面が略垂直となるように配置して行うことを可能にするものである。
【０００８】
そのために本発明では土壌は軽量で透水性の良好な固形土より成り、それを外被によって包み、扁平な形状の土壌マットとする。固形土は、所謂「土」と言うよりも塊状、粒状のものに近く、上記の条件を満たす固形土は菓子のビスケットやないしはラクガンのように多孔質の構造を有することが望ましい。また軽量であることも壁に掛ける場合には効果的である。例えば軽石や、バーク材と通称される樹皮若しくはその他の木製品材料も使用することができ、水よりも比重の小さいものは特に好適である。
【０００９】
外被は、吸水性の良好なシート材によって、固形土の植栽面を除く略全体を包み、さらにその外側全体を植物繊維より成るシート材によって包むものである。固形土を最初に包むシート材は、合成樹脂製就中高吸水性樹脂より成るものであることが望ましい。この種の樹脂としては、多孔質の構造を有していたり繊維間に保水空間を有しているものなどが使用可能である。また、外側全体を包むシート材は、例えばヤシ繊維その他の繊維状物から成る織布又は不織布などが使用可能である。
【００１０】
容器は、上記の土壌マットが収まる扁平なトレー形状を有する。トレーとは皿又は盆のような形をした浅い箱を意味するが、本発明ではトレーの底に相当する箇所は垂直に配置可能な面となるので、壁に掛ける場合には壁に接触するような位置に来る。またこの容器は、立て方向に配置したときに上になる箇所に注液口を有する。つまり本発明の装置は上下の相違を持っていても良い。注液口から液体肥料や水などが土壌マットの固形土に供給される。さらにトレーの底に相当する箇所には複数個の孔が開けられる。この孔は、植栽装置の展示のために使用可能である。
【００１１】
前記のトレーの底との間で土壌マットを挟み込んで固定する機能と、土壌に植えられた植物の一部を外へ出する窓のような機能とを併有する、パネル体によって容器の正面を覆う。この正面には土壌マットの外被で覆わない植栽面が配置される。パネル体は固形土に対する固定機能と植物に対する窓の機能とを併有するのみならず、模様を様々変化したものを用意し、それらを交換可能とすることによって、装飾として見た場合の意匠に変化を与えることができる（図３、図４参照）。容器及びパネル体は、コンクリート、陶材、合成樹脂等によって製造することができる。また容器、土壌マット、パネル体は結合手段によって一体物となる。
【００１２】
このような植栽装置は、垂直に配置可能な展示手段によって立てた姿勢で配置される。同手段としては、壁に平行に掛け吊るす方法や、スタンドを用いて容器を略垂直に立て掛ける方法などがあり、どちらも自由に適用することができる。
【００１３】
【実施例】
以下図示の実施例を参照して本発明をより詳細に説明する。図１に、本発明に係る植栽装置の容器１０を例示する。この容器１０は、正面形状が横長の長方形状を有し、その底に相当する箇所１１の４辺に立ち上がる低い周壁１２を有する扁平なトレー形状を有する。底に相当する箇所１１には、中央部の左右両側に第１の穴１３、１３が形成されており、それよりも上部には左右一対の第２の穴
１４、１４が形成されている。これら第１の穴１３、１３、第２の穴１４、１４は背面より正面側に出ている（図２参照）。
【００１４】
さらに容器１０には、垂直に配置したときに上になる箇所に注液口１５が設けられている。注液口１５は貫通口でも、また図例のような切欠き口でも良く、設ける数も自由に決められる。また容器１０の内側にはパネル体２５を受け支える段部１６が４隅と長辺中央部とに設けられている。
【００１５】
土壌マット２０は軽量土と呼ばれる、無機質多孔構造のものやバーク材等から成る軽量で透水性の良好な固形土１７を、高吸水性の合成樹脂より成る内層シート材１８ａで植栽面１９を除いて包み、その外側を天然ヤシ繊維より成る外層シート材１８ｂで包んだ構造を有している（図５、図６参照）。従って植栽面１９は外層シート材１８ｂによって包まれてるだけであるので、土壌マット２０の正面から必要な大きさの穴を開けて固形土１７に植物を植え付けるなど着床させることが容易に行える。
【００１６】
パネル体は２種類２１、２５が示されており、図３に示したものは、縁枠２２の中に固定機能として唐草模様から成る押さえ棧２３を有しており、棧間の空間２４が窓の機能に利用されている。もう一つのパネル体２５は、複数の雲形空間２６を窓の機能のために設け、それらを隔てる残存部を押さえ棧２７として設けているもので、外周に縁枠２８を有している点は同じである。２９はボルト穴を示す。
【００１７】
土壌マット２０は植栽面１９を正面に向けて容器１０に収め、容器正面にパネル体２５を当てがい、縁枠２８を段部１６に受け支えた状態で、パネル体２５の正面よりボルト３０を通し、土壌マット２０を貫通し、容器背面に出たボルト先端にナット３１を捩じ合わせる。ボルト３０とナット３１とが実施例における土壌マット２０を容器１０に取り付ける結合手段であり、これによって、容器１０、土壌マット２０及びパネル体２５が一体に結合された垂直に配置可能な植栽装置Ａが完成する（図５）。
【００１８】
このような本発明の植栽装置Ａは、容器１０に形成された第２の穴１４、１４を使用して、壁Ｗに掛けることができる。図７は、壁Ｗにチャンネル部を正面に向けて取り付けたレールを配置手段３３のベース３２とし、チャンネル部を移動可能なスライダー３４にフック３５を有する取り付け具や止めねじ３６を有する取り付け具を使用して植栽装置Ａの本体部分を掛け吊るす例を示している。この例では壁Ｗと平行に配置されるので、植栽装置Ａは全く垂直に配置可能である。図８（ａ）は、図７の例と同様のベース３２を用いて図８（ｂ）に示すようなフック３７、３７′、３７″を壁Ｗに取り付け、そのフック３７…に植栽装置Ａを吊り下げると同時に、植栽装置Ａの背面に突設した支持体３８によって壁面Ｗとの間隔を離し、植栽装置Ａを後傾気味に配置したものである。
【００１９】
さらに図９に示すように、スタンド４０を用いて植栽装置Ａを立てて飾ることができる。例示のスタンド４０はスタンド要素３９を複数個組み合わせて形成されるもので、植栽装置Ａの下端を止める掛け止め４１と背面を支える背当て４２とを有する。スタンド４０も飽くまで例示であり、植栽装置Ａを立てかけておくものであるならばどのような形状、構造のものでも使用することができ、こうした垂直に配置可能な使用形態により、植栽装置Ａは目線の位置にも、或いはそれより高い位置にも自由に配置できるようになり、展示の自由度が著しく高められる。
【００２０】
本発明に係る垂直に配置可能な植栽装置Ａは、上に述べた以外の様々な方法によって垂直乃至斜めに配置可能である。例えば、第２の穴１４、１４に鎖又は紐状のものを通して環状とし、壁際のフックに掛け吊るす方法や、何も用いずに壁際などに立て掛けておく方法も採用し得る。
【００２１】
本発明に係る植栽装置Ａに植物を植え付けるには、まず固形土１７を包んでいる植栽面１９の部分の外層シート材１８ｂをカッターなどを用いて剥がすことにより植栽面全体又はその一部を露出させる。次いで植栽面１９の露出部分において固形土１７に切り込みを入れ、そこに植物を植えるようにする。この作業ののち土壌マット２０を容器１０に収めさらにパネル体２５で覆うが、事前にボルトの通し穴４３を開けておき、また設置方法によっては必要な部品３８等を取り付けておく。固形土１７には必要な水分と栄養分とが含まれており、植え付け後必要に応じてそれらを供給することで植物は成長する。
【００２２】
【発明の効果】
本発明は以上の如くに構成されかつ作用するものであるから、実際に植物を植えて成育する植栽装置を壁に配置したり、スタンドに立て掛けたりして、室内、室外を問わずに絵画のように飾ったり鑑賞したりすることができるという効果を奏する。
【図面の簡単な説明】
【図１】（ａ）本発明に係る垂直に配置可能な植栽装置の実施例を示す容器の上面図。
（ｂ）同じく正面図。
【図２】図１（ａ）の中央部縦断面図。
【図３】パネル体の実施例を示す正面図。
【図４】同じくパネル体の正面図。
【図５】本発明装置の組み合わせ形態を示す斜視図。
【図６】使用状態の一部を拡大して示す断面図。
【図７】（ａ）壁掛け式の使用形態を示す断面図。
（ｂ）植栽装置の配置手段を示す説明図。
【図８】（ａ）同じく使用形態を示す断面図。
（ｂ）同じく配置手段を示す説明図。
【図９】（ａ）スタンド要素を示す斜視図。
（ｂ）スタンド要素を示す斜視図。
（ｃ）スタンドに立て掛けた正面側の斜視図。
（ｄ）スタンドに立て掛けた背面側の斜視図。
【符号の説明】
１０  容器
１１  底に相当する箇所
１３、１４  底に開けられた穴
１５  注液口
１７  固形土
１８ａ、１８ｂ  シート材
１９  植栽面
２０  土壌マット
２３、２７  押さえ棧
２４、２６  棧間の空間
２５  パネル体
【図１】
0003857540.tif 000002
【図２】
0003857540.tif 000003
【図３】
0003857540.tif 000004
【図４】
0003857540.tif 000005
【図５】
0003857540.tif 000006
【図６】
0003857540.tif 000007
【図７】
0003857540.tif 000008
【図８】
0003857540.tif 000009
【図９】
0003857540.tif 000010